(57)【要約】【課題】携帯端末の厚さをできるだけ薄くしながら、簡単な構成で押しボタンのガタツキや誤動作を防止する。【解決手段】正面側キャビネット３の外周面に形成されたキートップ収容部８にキートップ７を収容し、このキートップ収容部８周縁から間隔をあけて押し子挿通孔９を有するスイッチ用隔壁１０を設ける。スイッチ用隔壁１０の内側に押し子挿通孔９に対応して押圧型スイッチ１１を配置し、スイッチ用隔壁１０と押圧型スイッチ１１との間にシリコーンゴム１４を配置すると共に、軸方向一端側がキートップ７に押圧され、軸方向他端側が押圧型スイッチ１１を押圧する押し子１５を押し子挿通孔９に挿通する。【選択図】図１
2013258088.tif 000002
【特許請求の範囲】
【請求項１】
携帯端末の押しボタンスイッチ構造において、
携帯端末本体の外周面に形成されたキートップ収容部と、
上記キートップ収容部に収容されるキートップと、
上記携帯端末本体に形成されて上記キートップ収容部周縁から間隔をあけて配置されて押し子挿通孔を有するスイッチ用隔壁と、
上記スイッチ用隔壁の内側に上記押し子挿通孔に対応して配置された押圧型スイッチと、
上記押し子挿通孔に挿通され、軸方向一端側が上記キートップに押圧され、軸方向他端側が上記押圧型スイッチを押圧する押し子と、
上記スイッチ用隔壁と上記押圧型スイッチとの間に配置される弾性部材とを備えている
ことを特徴とする押しボタンスイッチ構造。
【請求項２】
請求項１に記載の押しボタンスイッチ構造において、
上記キートップは、上記携帯端末本体の上記キートップ収容部周縁と上記スイッチ用隔壁との間に該携帯端末本体の厚さ方向に突設された突起部によって移動規制されている
ことを特徴とする押しボタンスイッチ構造。
【請求項３】
請求項２に記載の押しボタンスイッチ構造において、
上記押し子は、上記弾性部材に一体成形され、上記スイッチ用隔壁の内側から上記キートップ収容部に向けて上記軸方向一端側が上記押し子挿通孔に挿入されている
ことを特徴とする押しボタンスイッチ構造。
【請求項４】
請求項１乃至３のいずれか１つに記載の押しボタンスイッチ構造において、
上記押圧型スイッチは、フレキシブル基板に設けられ、該フレキシブル基板は、上記弾性部材の内側に配置された基板用ホルダに嵌め込まれている
ことを特徴とする押しボタンスイッチ構造。
【請求項５】
請求項１乃至４のいずれか１つに記載の押しボタンスイッチ構造を備える
ことを特徴とする携帯端末。
【発明の詳細な説明】
【技術分野】
【０００１】
本発明は、携帯電話機などの携帯端末に使用される押しボタンスイッチ構造及びそれを備えた携帯端末に関するものである。
【背景技術】
【０００２】
従来より、携帯端末に使用される押しボタンスイッチは、狭いスペースに設けられ、そのサイズもますます小さくなってきている。また、防水式携帯端末の場合には、スイッチ部分にも防水構造をとる必要がある。この防水構造として押し子の周辺に弾性部材を用いたものがある。
【０００３】
例えば、特許文献１の携帯端末の押しボタンスイッチ構造は、携帯端末本体に形成されたスイッチ用貫通孔と、携帯端末本体内部にスイッチ用貫通孔に対応して配置された押圧型スイッチと、軸方向一端側で押圧型スイッチを押圧する押し子と、この押し子の軸方向他端側に結合され、スイッチ用貫通孔から露出するキートップと、押し子が挿入される板側貫通孔を有する補強板と、この補強板を覆うと共に、押し子の軸方向中間外周と板側貫通孔との間の隙間を埋めるように押し子と補強板とを接合した状態で、スイッチ用貫通孔周縁に嵌合される弾性部材とを備えている。
【先行技術文献】
【特許文献】
【０００４】
【特許文献１】特開２０１２−２８１７５号公報
【発明の概要】
【発明が解決しようとする課題】
【０００５】
しかしながら、上記特許文献１のような押しボタンスイッチ構造においては、スイッチ用貫通孔が設けられたスイッチ用凹部を構成する隔壁と、キートップとの間に弾性部材が設けられているので、弾性部材の、携帯端末の厚さ方向の幅をスイッチ用凹部の厚さ方向の幅よりも狭くする必要がある。弾性部材には、押し子を通すスペースが必要なので、携帯端末本体の厚さを一定の厚さよりも薄くすることができない。
【０００６】
また、スイッチ用凹部内に弾性部材を設けなければならず、キートップのガタツキ防止や誤操作を防ぐためにキートップの移動を規制する突起部を自由に設けることができないという問題がある。
【０００７】
本発明は、かかる点に鑑みてなされたものであり、その目的とするところは、携帯端末の厚さをできるだけ薄くしながら、簡単な構成で押しボタンのガタツキや誤動作を防止することにある。
【課題を解決するための手段】
【０００８】
上記の目的を達成するために、この発明では、押し子挿通孔が形成されたスイッチ用隔壁と押圧型スイッチとの間に弾性部材を設けた。
【０００９】
具体的には、第１の発明では、携帯端末の押しボタンスイッチ構造を前提とし、
上記押しボタンスイッチ構造は、
携帯端末本体の外周面に形成されたキートップ収容部と、
上記キートップ収容部に収容されるキートップと、
上記携帯端末本体に形成されて上記キートップ収容部周縁から間隔をあけて配置されて押し子挿通孔を有するスイッチ用隔壁と、
上記スイッチ用隔壁の内側に上記押し子挿通孔に対応して配置された押圧型スイッチと、
上記押し子挿通孔に挿通され、軸方向一端側が上記キートップに押圧され、軸方向他端側が上記押圧型スイッチを押圧する押し子と、
上記スイッチ用隔壁と上記押圧型スイッチとの間に配置される弾性部材とを備えている。
【００１０】
上記の構成によると、従来のように、押し子挿通孔が形成されたスイッチ用隔壁とキートップとの間に弾性部材を設けるのではなく、スイッチ用隔壁におけるキートップと反対側に弾性部材を設けているので、弾性部材の厚さ方向の幅がキートップ収容部の厚さ方向の幅に制限されない。このため、携帯端末本体の厚さを従来よりも薄くすることができる。また、キートップ側に弾性部材を設けないので、キートップの移動を規制するリブを自由に設けることができ、その場合には、キートップのガタツキや誤操作を確実に防ぐことができる。
【００１１】
第２の発明では、第１の発明において、
上記キートップは、上記携帯端末本体の上記キートップ収容部周縁と上記スイッチ用隔壁との間に該携帯端末本体の厚さ方向に突設された突起部によって移動規制されている。
【００１２】
上記の構成によると、弾性部材がキートップ収容部側にないので、突起部をキートップ収容部内に設けることができ、キートップの必要以上の傾きやぐらつきを確実に防ぐことができる。
【００１３】
第３の発明では、第２の発明において、
上記押し子は、上記弾性部材に一体成形され、上記スイッチ用隔壁の内側から上記キートップ収容部に向けて上記軸方向一端側が上記押し子挿通孔に挿入されている。
【００１４】
すなわち、キートップ収容部内に突起部を設けた場合には、キートップ側に押し子が連結されていると、キートップの取付がしにくくなるが、上記の構成によると、キートップと押し子とが別部品であるので、キートップの取付が容易であり、しかも押し子が弾性部材に連結されているので、弾性部材を取り付けるときに簡単に押し子を押し子挿通孔に通すことができる。複数の押し子が弾性部材に一体成形されていると、その効果は顕著である。
【００１５】
第４の発明では、第１乃至第３のいずれか１つの発明において、
上記押圧型スイッチは、フレキシブル基板に設けられ、該フレキシブル基板は、上記弾性部材の内側に配置された基板用ホルダに嵌め込まれている。
【００１６】
上記の構成によると、基板用ホルダにフレキシブル基板を嵌め込むことで、フレキシブル基板が安定し、押し子が押圧型スイッチを押圧したときに適切に反応する。また、押圧型スイッチを押し子挿通孔に対応した携帯端末本体の正規の位置に取り付けるのが容易となる。
【００１７】
第５の発明の携帯端末は、第１乃至第４のいずれか１つの発明の押しボタンスイッチ構造を備えている。
【００１８】
上記の構成によると、誤動作の少ない厚さの薄い携帯端末が得られる。
【発明の効果】
【００１９】
以上説明したように、本発明によれば、スイッチ用隔壁と押圧型スイッチとの間に弾性部材を配置したことにより、簡単な構成で押しボタンのガタツキや誤動作を防止すると共に、携帯端末の厚さをできるだけ薄くすることができる。
【図面の簡単な説明】
【００２０】
【図１】押しボタンスイッチ構造及びその周辺を示す図２のＩ−Ｉ線拡大断面図である。
【図２】携帯電話機を示す正面図である。
【図３】携帯電話機を背面側から見た斜視図である。
【図４】スイッチ用隔壁及びその周辺を拡大して示す斜視図である。
【図５】押しボタンスイッチ構造及びその周辺を示す斜視図である。
【図６】押しボタンスイッチ構造及びその周辺を別の方向から見た斜視図である。
【図７】スイッチアッセンブリーを拡大して示す背面図である。
【図８】スイッチアッセンブリーを拡大して示す斜視図である。
【図９】押し子が一体成形されたシリコーンゴムを示し、（ａ）が左右外側から見た斜視図で、（ｂ）が左右内側から見た斜視図である。
【発明を実施するための形態】
【００２１】
以下、本発明の実施形態を図面に基づいて説明する。
【００２２】
図２及び図３は本発明の実施形態にかかる押しボタンスイッチ構造を備えた携帯端末としての携帯電話機１を示す。例えば、この携帯電話機１は、防水構造であり、正面側に表示部２が嵌め込まれる携帯端末本体としての正面側キャビネット３を有する。正面側キャビネット３には、背面側キャビネット４が嵌合され、その背面側がリアカバー５で覆われている。正面側キャビネット３は、図１及び図５に示すように、例えば、ステンレスシートなどの板金３ａをインサート成形された樹脂成形品である。正面側キャビネット３と背面側キャビネット４との間には、防水パッキン２０が全周にわたり挟み込まれている。
【００２３】
正面側キャビネット３の左側面には、押しボタンスイッチ構造としてのサイドキー６が設けられている。このサイドキー６は、携帯電話機１に内蔵した図示しないカメラのシャッター（半押し機能を含む）、図示しないスポットライトのスイッチ、カメラ起動用スイッチ、待機状態から起動して待ち受け画面を表示させる起動用スイッチ等の種々の機能を果たすキートップ７を有する。また、サイドキー６は、一対の選択スイッチの役割をする上下方向に連結されたキートップ７も有する。本実施形態では、サイドキー６は、３つのキートップ７を備えているが、その数は特に限定されない。
【００２４】
図４に示すように、正面側キャビネット３の左側面には、キートップ７が収容されるキートップ収容部８が形成され、このキートップ収容部８には、これら３つのキートップ７に合わせて押し子挿通孔９が開口するスイッチ用隔壁１０がキートップ収容部８周縁から間隔をあけて設けられている。図１にも示すように、スイッチ用隔壁１０の左右内側（矢印Ａで示す）は、板金３ａが露出し、樹脂で覆われていない。
【００２５】
図１に示すように、このスイッチ用隔壁１０の左右内側に押し子挿通孔９に対応して配置された押圧型スイッチ１１が電気的に接続されたフレキシブル基板１２が設けられている。このフレキシブル基板１２は、図５及び図６にも示すように、押圧型スイッチ１１が露出するように、樹脂成形品よりなる基板用ホルダ１３に嵌め込まれている。図７及び図８に示すように、この基板用ホルダ１３には、グランド線１３ａが取り付けられており、基板用ホルダ１３を正面側キャビネット３の正規の位置に嵌め込むことで、押圧型スイッチ１１を押し子挿通孔９に対応した正規の位置に取り付けるのが容易となると共に、グランド線１３ａの取付も容易となっている。また、図１に示すように、基板用ホルダ１３は、背面側キャビネット４から伸びるリブ４ａにより、左右内側から支えられている。
【００２６】
そして、本発明の特徴として、スイッチ用隔壁１０と押圧型スイッチ１１との間にシリコーンゴム１４が配置されている。図９に示すように、シリコーンゴム１４は、キートップ収容部８に浸入した液体を防ぐ防水シートの役割も果たしている。このシリコーンゴム１４には、押し子挿通孔９に挿通され、左右外側がキートップ７に押圧されると共に、左右内側が押圧型スイッチ１１を押圧する押し子１５が一体成形されている。
【００２７】
本実施形態では、３つの押し子１５が押し子挿通孔９に合わせた位置にシリコーンゴム１４に一体成形されている。このため、シリコーンゴム１４をスイッチ用隔壁１０の左右内側に配置するときに、スイッチ用隔壁１０の左右内側からキートップ収容部８に向けて３つの押し子１５の軸方向一端側がそれぞれ対応する押し子挿通孔９に挿入されている。このシリコーンゴム１４は、図１及び図４に矢印Ａで示すように、樹脂で覆われていない板金３ａに直接触れるように配置されているので、板金３ａを覆うキートップ収容部８の樹脂部分の厚さＷの分だけ正面側キャビネット３の厚さを薄くすることができる。図１に示すように、シリコーンゴム１４は、正面側キャビネット３と背面側キャビネット４との間を防水する防水パッキン２０と厚さ方向で同じ直線上にあり、両者で防水構造を形成している。
【００２８】
フレキシブル基板１２は、基板用ホルダ１３に嵌め込まれているので、安定し、押し子１５が押圧型スイッチ１１を押圧したときに適切に反応するようになっている。
【００２９】
そして、図４に示すように、電源スイッチ等の機能を果たす単独のキートップ７に対応する位置のキートップ収容部８の正面側には、一対のピン状の第１突起部１７が上下に間隔をあけて背面側に向けて突設されている。この第１突起部１７により、キートップ７の不測の移動が規制されている。また、一連のキートップ７の長手方向中央に対応する部分には、左右に伸びるリブ状の第２突起部１８が背面側に向けて立設されている。この第２突起部１８によってもキートップ７の不測の移動が規制されている。
【００３０】
本実施形態では、従来のように押し子挿通孔９が形成されたスイッチ用隔壁１０とキートップ７との間にシリコーンゴム１４を設けるのではなく、スイッチ用隔壁１０におけるキートップ７と反対側（左右内側）にシリコーンゴム１４を設けているので、シリコーンゴム１４の厚さ方向の幅がキートップ収容部８の厚さ方向の幅に制限されない。このため、正面側キャビネット３の厚さを従来よりも薄くすることができる。
【００３１】
また、シリコーンゴム１４がキートップ収容部８側にないので、第１及び第２突起部１７，１８をキートップ収容部８内に設けることができ、キートップ７の必要以上の傾きやぐらつきを確実に防ぐことができる。
【００３２】
また、キートップ７と押し子１５とを別部品とし、押し子１５がシリコーンゴム１４に連結されているので、シリコーンゴム１４を取り付けるときに簡単に押し子１５を押し子挿通孔９に通すことができる。３つの押し子１５がシリコーンゴム１４に一体成形されているので、それぞれ分割されている場合に比べて極めて取付が容易となっている。
【００３３】
以上説明したように、本発明の実施形態によれば、簡単な構成で押しボタンのガタツキや誤動作を防止すると共に、携帯電話機１の厚さをできるだけ薄くすることができる。
【００３４】
（その他の実施形態）
本発明は、上記実施形態について、以下のような構成としてもよい。
【００３５】
すなわち、上記実施形態では、弾性部材は、シリコーンゴム１４としたが、これに限定されず、射出成形が可能なエラストマー、ゴム等でもよい。
【００３６】
上記実施形態では、携帯端末は、携帯電話機１としたが、ＰＨＳ（Personal Handy-phone System ）、ＰＤＡ(Personal Digital Assistant)、パソコン、モバイルツール、電子辞書、電卓、ゲーム機、時計等であってもよい。携帯端末は、必ずしも防水機能を有する必要はなく、本発明により、すぐれた組付性及び防塵機能を発揮する。
【００３７】
なお、以上の実施形態は、本質的に好ましい例示であって、本発明、その適用物や用途の範囲を制限することを意図するものではない。
【産業上の利用可能性】
【００３８】
以上説明したように、本発明は、携帯電話機などの携帯端末に用いる押しボタンスイッチ構造について有用である。
【符号の説明】
【００３９】
１      携帯電話機（携帯端末）
２      表示部
３      正面側キャビネット
３ａ    板金
４      背面側キャビネット
５      リアカバー
５ａ    リブ
６      サイドキー
７      キートップ
８      キートップ収容部
９      子挿通孔
１０      スイッチ用隔壁
１１      押圧型スイッチ
１２      フレキシブル基板
１３      基板用ホルダ
１３ａ    グランド線
１４      シリコーンゴム
１５      押し子
１７      第１突起部
１８      第２突起部
２０      防水パッキン
【図１】
2013258088.tif 000003
【図２】
2013258088.tif 000004
【図３】
2013258088.tif 000005
【図４】
2013258088.tif 000006
【図５】
2013258088.tif 000007
【図６】
2013258088.tif 000008
【図７】
2013258088.tif 000009
【図８】
2013258088.tif 000010
【図９】
2013258088.tif 000011